(57)【要約】【課題】筐体内で３次元に光の反射を行うプロジェクタに関して、簡易な構造で自動で水平方向の調整をすることが可能なプロジェクタの提供を目的とする。【解決手段】光源からの光を利用して画像を形成して、上記形成した画像をレンズを介してスクリーンに投射する画像投射手段と、上記画像投射手段を収容する筐体とを有し、水平方向の傾きを調整可能なプロジェクタにおいて、上記筐体は、上記画像投射手段を水平方向に回転可能に支持し、上記画像投射手段は、水平方向の傾きを一定に保つために、上記筐体にて水平方向に回転可能に支持される同画像投射手段を、重みによって下部が常に下方に位置するよう重量物を下方に配置する。【選択図】図４
2007248709.tif 000002
【特許請求の範囲】
【請求項１】
所定の筺体と、 
同筺体の前方側の側方に配置され、所定の反射鏡にて集光しつつ幅方向に向けて光を射出するランプと、 
所定の角度範囲ごとに異なる分光用フィルタを構成する円盤状のカラーホイールを、上記筺体の幅方向と略並行であって上記ランプにて集光された光が上記分光用フィルタを透過するように配置し、同カラーホイールを所定のタイミングに沿って連続的に回転させるカラーホイール機構と、 
上記筺体の幅方向に配向しつつ、同カラーホイール機構を通過した光を略平行な光に変換するライトパイプと、 
上記筺体の前方側であって上記ランプとは反対の側方に配置され、上記ライトパイプから射出される平行光を後方側上方であって幅方向には反対側に反射させるミラーと、 
同ミラーにて反射された平行光が照射される位置であって、複数のマイクロミラーを所定の配列となるように配置し、ＲＧＢ信号に基づいて上記各マイクロミラーを時分割駆動させることで所定の映像を形成しつつ、上記筺体の前方側に向けてする反射させるＤＭＤと、 
上記筺体の前方に向けた光軸を有し、上記ＤＭＤの反射光が入射されて前方に映像を投射する投射レンズと、 
外部機器からの映像／音声信号の入出力を行う入出力インターフェースと、
上記入出力インターフェースから入力される映像信号をＲＧＢ信号に分解して出力する映像信号処理回路と、
上記各構成要素に必要な電源を供給する電源トランスと、
上記各構成要素を制御する制御部とを有し、
水平方向の傾きを調整可能なプロジェクタにおいて、
上記筐体は、
上記ランプと上記カラーホイールと上記ライトパイプと上記ミラーと上記ＤＭＤと上記制御部と上記電源トランスと上記映像信号処理回路とを収容する投射ユニット部と、
上記投射ユニット部を収容しつつ、同投射ユニット部を水平方向に回転可能に支持する支持ユニット部とから構成され、
上記投射ユニット部は、
上記投射レンズを端部周辺から露出するための第一の開口部を有する前面パネルを前面に配置する箱型形状であって、
上記投射レンズの水平方向の傾きを一定に保つため、上記支持ユニット部にて回転可能に支持される同投射ユニット部の下部を、重みによって常に下方に位置するよう上記電源トランスを同投射ユニット部の下方に配置し、
上方に上記投射レンズの光軸と略水平に厚み方向に延設する回転軸とを有し
上記支持ユニット部は、
上記投射ユニット部より大きい箱型形状であって、前面部に上記投射ユニット部の前面パネルが露出する方形の第二の開口部を有し、
上記投射ユニット部が上記回転軸を中心として水平方向に回転可能に支持されるよう内壁の前面と背面に上記回転軸を支持する支持部対を有することを特徴とするプロジェクタ。
【請求項２】
光源からの光を利用して画像を形成して、上記形成した画像をレンズを介してスクリーンに投射する画像投射手段と、
上記画像投射手段を収容する筐体とを有し、
水平方向の傾きを調整可能なプロジェクタにおいて、
上記筐体は、上記画像投射手段を水平方向に回転可能に支持し、
上記画像投射手段は、水平方向の傾きを一定に保つために、上記筐体にて水平方向に回転可能に支持される同画像投射手段を、重みによって下部が常に下方に位置するよう重量物を下方に配置することを特徴とするプロジェクタ。
【請求項３】
上記画像投射手段は、
同筺体の前方側の側方に配置され、所定の反射鏡にて集光しつつ幅方向に向けて光を射出するランプと、 
所定の角度範囲ごとに異なる分光用フィルタを構成する円盤状のカラーホイールを、上記筺体の幅方向と略並行であって上記ランプにて集光された光が上記分光用フィルタを透過するように配置し、同カラーホイールを所定のタイミングに沿って連続的に回転させるカラーホイール機構と、 
上記筺体の幅方向に配向しつつ、同カラーホイール機構を通過した光を略平行な光に変換するライトパイプと、 
上記筺体の前方側であって上記ランプとは反対の側方に配置され、上記ライトパイプから射出される平行光を後方側上方であって幅方向には反対側に反射させるミラーと、 
同ミラーにて反射された平行光が照射される位置であって、複数のマイクロミラーを所定の配列となるように配置し、ＲＧＢ信号に基づいて上記各マイクロミラーを時分割駆動させることで所定の映像を形成しつつ、上記筺体の前方側に向けてする反射させるＤＭＤと、 
上記筺体の前方に向けた光軸を有し、上記ＤＭＤの反射光が入射されて前方に映像を投射する投射レンズとを有する請求項２に記載のプロジェクタ。
【請求項４】
上記筐体は、
上記画像投射手段を収容する投射ユニット部と、
上記投射ユニット部を収容するとともに、上記投射ユニット部を水平方向に回転可能に支持する支持ユニット部とを有することを特徴とする請求項２または請求項３のいずれかに記載のプロジェクタ。
【請求項５】
上記投射ユニット部は、上記投射レンズの光軸を中心とする円筒形であって、
上記支持ユニット部によって上記光軸を中心として回転可能に支持されることを特徴とする請求項４に記載のプロジェクタ。
【請求項６】
上記投射ユニット部は、上方に上記投射レンズの光軸と略水平になるよう厚み方向に延設する回転軸を有する箱型形状であって、
上記支持ユニット部は、箱型形状であって上記投射ユニット部が上記回転軸を中心として水平方向に回転可能に支持される支持部対を内壁の前面と背面に有することを特徴とする請求項４に記載のプロジェクタ。
【発明の詳細な説明】
【技術分野】
【０００１】
本発明は、プロジェクタに関し、特に、水平方向の傾きを調整するプロジェクタに関する。
【背景技術】
【０００２】
水平な平地に接地されるテレビジョンと異なり、プロジェクタを使用して映像をスクリーンに表示する際、ユーザはつねにスクリーンに投射された映像の水平方向の傾きを筐体を支持する足の長さを変化させるなどして調整してやる必要があった。
【０００３】
プロジェクタの水平方向の傾きを自動で調整するために、カラーホイールなどの空間光変調素子を保持部材によって光軸回りに回転自動で保持し、上記空間光変調素子の下方に重量物を配置し上記重量物の重みで同空間光変調素子の傾きを自動で調整する方法が知られている（例えば特許文献１）。
【特許文献１】特開平０９−３０４８３３号
【発明の開示】
【発明が解決しようとする課題】
【０００４】
上述した従来のプロジェクタにおいては、次のような課題があった。すなわち、空間光変調素子を投写光学係と切り離して回転するため光軸のズレが起きやすいこと、また、光源から出射された光を反射させて投射レンズに出射するプロジェクタにおいては、筐体内で光の反射が起きているため空間光変調素子のみを回転させると、投射される光の角度が微妙に変化してしまい輝度の制御に支障を来たしていた。
【０００５】
本発明は、上記課題にかんがみてなされたもので、筐体内で３次元の光の屈折を行うプロジェクタに関して、簡易な構造で自動で水平方向の調整をすることが可能なプロジェクタの提供を目的とする。
【課題を解決するための手段】
【０００６】
上記課題を解決するために、請求項１の発明は、所定の筺体と、同筺体の前方側の側方に配置され、所定の反射鏡にて集光しつつ幅方向に向けて光を射出するランプと、所定の角度範囲ごとに異なる分光用フィルタを構成する円盤状のカラーホイールを、上記筺体の幅方向と略並行であって上記ランプにて集光された光が上記分光用フィルタを透過するように配置し、同カラーホイールを所定のタイミングに沿って連続的に回転させるカラーホイール機構と、上記筺体の幅方向に配向しつつ、同カラーホイール機構を通過した光を略平行な光に変換するライトパイプと、上記筺体の前方側であって上記ランプとは反対の側方に配置され、上記ライトパイプから射出される平行光を後方側上方であって幅方向には反対側に反射させるミラーと、同ミラーにて反射された平行光が照射される位置であって、複数のマイクロミラーを所定の配列となるように配置し、ＲＧＢ信号に基づいて上記各マイクロミラーを時分割駆動させることで所定の映像を形成しつつ、上記筺体の前方側に向けてする反射させるＤＭＤと、上記筺体の前方に向けた光軸を有し、上記ＤＭＤの反射光が入射されて前方に映像を投射する投射レンズと、外部機器からの映像／音声信号の入出力を行う入出力インターフェースと、上記入出力インターフェースから入力される映像信号をＲＧＢ信号に分解して出力する映像信号処理回路と、上記各構成要素に必要な電源を供給する電源トランスと、上記各構成要素を制御する制御部とを有し、水平方向の傾きを調整可能なプロジェクタにおいて、  上記筐体は、上記ランプと上記カラーホイールと上記ライトパイプと上記ミラーと上記ＤＭＤと上記入出力インターフェースと上記制御部と上記電源トランスと上記映像信号処理回路とを収容する投射ユニット部と、上記投射ユニット部を収容しつつ、同投射ユニット部を水平方向に回転可能に支持する支持ユニット部とから構成され、
上記投射ユニット部は、上記投射レンズを端部周辺から露出するための第一の開口部を有する前面パネルを前面に配置する箱型形状であって、上記投射レンズの水平方向の傾きを一定に保つため、上記支持ユニット部にて回転可能に支持される同投射ユニット部の下部を、重みによって常に下方に位置するよう上記電源トランスを同投射ユニット部の下方に配置し、上方に上記投射レンズの光軸と略水平に厚み方向に延設する回転軸とを有し
上記支持ユニット部は、上記投射ユニット部より大きい箱型形状であって、前面部に上記投射ユニット部の前面パネルが露出する方形の第二の開口部を有し、上記投射ユニット部が上記回転軸を中心として水平方向に回転可能に支持されるよう内壁の前面と背面に上記回転軸を支持する支持部対を有する構成である。
【０００７】
つまり、請求項１のプロジェクタは、筐体と、ランプを筺体の前方側の側方に配置し、カラーホイール機構を、上記筺体の幅方向と略並行に配置し、ライトパイプを上記筺体の幅方向に配置し、ミラーを上記筺体の前方側であって上記ランプとは反対の側方に配置し、ＤＭＤを同ミラーにて反射された平行光が照射される位置に配置し、投射レンズを上記筺体の前方に配置し、入出力インターフェースと、映像信号処理回路と、電源トランスと、制御部とを有し、水平方向の傾きを調整可能なプロジェクタである。
【０００８】
上記筐体は、ランプとカラーホイールとライトパイプとミラーとＤＭＤと入出力インターフェースと制御部と電源トランスと映像信号処理回路とを収容する箱型の投射ユニット部と、上記投射ユニット部を収容しつつ、同投射ユニット部を水平方向に回転可能に支持する箱型の支持ユニット部とから構成される。
【０００９】
上記投射ユニット部は、上記ランプから出射される光の直線距離を反射によって短くすることで同投射ユニット部内に配置される上記要素の配置スペースをコンパクトにするために、上記ランプを幅方向の一端に配置し、上記ミラーを上記ランプの配置位置と幅方向に反対側の端部に配置し、上記ＤＭＤを上方に配置し、上記投射レンズを前面に配置している。
【００１０】
上記構成において上記投射ユニット部は、上記投射レンズの水平方向の傾きを一定に保つため、上記電源トランスを同投射ユニット部の下方に配置し、同投射ユニット部の下部が常に下方に位置するようにしている。また、上方に上記投射レンズの光軸と略水平になるよう厚み方向に延設する回転軸とを有し、上記箱型の支持ユニット部の前面と背面に配置された支持部によって、同投射ユニット部が上記回転軸を中心として水平方向に回転可能に支持され水平方向の傾きを常に一定に保っている。
【００１１】
また、請求項２に記載の発明は、光源からの光を利用して画像を形成して、上記形成した画像をレンズを介してスクリーンに投射する画像投射手段と、上記画像投射手段を収容する筐体とを有するプロジェクタにおいて、上記筐体は、上記画像投射手段を水平方向に回転可能に支持し、上記画像投射手段は、水平方向の傾きを一定に保つために、重みによって上記画像投射手段の下部が常に下方に位置するよう重量物を下方に配置する構成である。
【００１２】
つまり、請求項２のプロジェクタは、光源からの光を利用して画像を形成して、上記形成した画像をレンズを介してスクリーンに投射する画像投射手段と、上記画像投射手段を収容する筐体とを有し、水平方向の傾きを自動で調整するプロジェクタである。
そのため上記筐体は、上記画像投射手段を水平方向に回転可能に支持し、上記画像投射手段は、水平方向の傾きを一定に保つために、重みによって上記画像投射手段の下部が常に下方に位置するよう重量物を下方に配置する。
【００１３】
また、請求項３に記載の発明は、請求項２に記載のプロジェクタであって、上記画像投射手段は、同筺体の前方側の側方に配置され、所定の反射鏡にて集光しつつ幅方向に向けて光を射出するランプと、所定の角度範囲ごとに異なる分光用フィルタを構成する円盤状のカラーホイールを、上記筺体の幅方向と略並行であって上記ランプにて集光された光が上記分光用フィルタを透過するように配置し、同カラーホイールを所定のタイミングに沿って連続的に回転させるカラーホイール機構と、上記筺体の幅方向に配向しつつ、同カラーホイール機構を通過した光を略平行な光に変換するライトパイプと、上記筺体の前方側であって上記ランプとは反対の側方に配置され、上記ライトパイプから射出される平行光を後方側上方であって幅方向には反対側に反射させるミラーと、同ミラーにて反射された平行光が照射される位置であって、複数のマイクロミラーを所定の配列となるように配置し、ＲＧＢ信号に基づいて上記各マイクロミラーを時分割駆動させることで所定の映像を形成しつつ、上記筺体の前方側に向けてする反射させるＤＭＤと、 上記筺体の前方に向けた光軸を有し、上記ＤＭＤの反射光が入射されて前方に映像を投射する投射レンズとを有する構成である。
【００１４】
つまり、請求項２に記載のプロジェクタであって、上記画像投射手段は、ランプと、カラーホイールと、ＤＭＤと、投射レンズと有する。
【００１５】
また、請求項４に記載の発明は、請求項２または請求項３のいずれかに記載のプロジェクタであって、上記筐体は、上記画像投射手段を収容する投射ユニット部と、上記投射ユニット部を収容するとともに、上記投射ユニット部を水平方向に回転可能に支持する支持ユニット部とを有する構成である。
【００１６】
つまり、請求項２または請求項３のいずれかに記載のプロジェクタであって、上記筐体は、上記画像投射手段を収容する投射ユニット部が、支持ユニット部によって収容されるとともに、上記投射ユニット部を水平方向に回転可能に支持する。
【００１７】
また、請求項５に記載の発明は、請求項４に記載のプロジェクタであって、上記投射ユニット部は、上記投射レンズの光軸を中心とする円筒形であって、上記支持ユニット部によって上記光軸を中心として回転支持される。
【００１８】
つまり、請求項４に記載のプロジェクタであって、上記投射レンズの光軸を中心とする円筒形の投射ユニットが、上記支持ユニット部によって上記光軸を中心として回転支持される。
【００１９】
また、請求項６に記載の発明は、請求項４に記載のプロジェクタであって、上記投射ユニット部は、上方に上記投射レンズの光軸と略水平になるよう厚み方向に延設する回転軸を有する箱型形状であって、上記支持ユニット部は、上記投射ユニット部が上記回転軸を中心として水平方向に回転可能に支持される支持部対を前面と背面の内壁上方に有する箱型形状の構成である。
【００２０】
つまり、請求項４に記載のプロジェクタであって、上記投射ユニット部は、上方に上記投射レンズの光軸と略水平になるよう厚み方向に延設する回転軸を有する箱型形状であって、箱型の支持ユニット部の前面と背面に有する支持部対によって上記回転軸を中心として水平方向に回転可能に支持される。
【発明の効果】
【００２１】
以上説明したように、請求項１、請求項２に記載の発明は、簡易な構造で水平方向の自動調整を行うことができる。
また、請求項１、請求項３に記載の発明は、筐体内で３次元に反射した光の投射を行う構造でも、簡易な構造で、水平方向の自動調整を行うことができる。
また、請求項１、請求項４に記載の発明は、光学系を従来の配置で収容することができる。
また、請求項５に記載の発明は、光軸を中心として回転するので筐体の構造を簡易にすることができる。
また、請求項１、請求項６に記載の発明は、筐体を二重で構成するので機能にとらわれず外観のデザインを色々と変更することができる。
【発明を実施するための最良の形態】
【００２２】
以下の項目に従って本発明の一実施形態の一つであるプロジェクタについて説明する。（１）プロジェクタの構造
（２）筐体の構造
（３）実施例
（４）変形例
（５）まとめ
【００２３】
（１）プロジェクタの構造：
図１は本発明にかかるプロジェクタ１０のブロック構成図である。同図より、プロジェクタ１０は、大別すると、本体とリモコン１とから構成される。本体は、概略、本体の各部を制御する制御部２と、ＤＶＤドライブやパーソナルコンピュータやテレビジョン受像機等の外部機器から映像／音声信号が入力される入出力インターフェース３と、マトリックス回路等から構成される映像信号処理回路４と、光学系５と、リモコン１からの赤外線信号（無線信号）を受け付けて対応する電圧信号を出力するリモコンＩ／Ｆ６とを備えている。本体を構成する要素はＩＩＣバス８によって接続され、制御部２から出力される指令を基に各自駆動する。
【００２４】
制御部２は、内部に、ＣＰＵ、ＲＯＭ、ＲＡＭ、ＯＳＤ（オンスクリーンディスプレイ）回路を備えている。ＯＳＤ回路は、映像信号処理回路に接続され、スクリーンにＯＳＤ表示する画像を表すＯＳＤ信号を生成し映像信号に重畳する。制御部２は、ＣＰＵの制御により、リモコンＩ／Ｆ６から電圧信号を入力して対応するキー操作を検知するとリモコン１からの操作入力を受け付け、受け付けた操作入力に対応したＯＳＤ信号を生成する。また、マイコンは所定の階層構造で階層化された調整項目を階層毎に画面に一覧表示させるＯＳＤ信号を生成し、スクリーンに表示された調整項目の中からいずれかを選択する操作入力をリモコン１から受け付けるとともに、選択された末端階層の調整項目に対応する設定処理を実行する。
【００２５】
映像信号処理回路４は、入出力インターフェース３から入力される映像信号を赤Ｒ、緑Ｇ、および青Ｂの３原色のＲＧＢ信号に分解した後、マイコンからの制御信号に基づいてＲＧＢ信号の色レベル等の補正を行い、上記補正を行ったＲＧＢの信号を光学系（画像投射手段）５へと出力する。
【００２６】
リモコン１はユーザからの操作を受け付ける複数のキーと、赤外線信号をリモコンＩ／Ｆ６に向けて送信する赤外線送信回路とを有し、同複数のキーの操作に応じた赤外線信号を所定のフォーマットで送出する。リモコン１は、概略、音量調節キー、上下左右カーソル移動キー、カーソル選択キー、およびメニューキーを備えている。リモコン１にてメニューキーが押し下げ操作されると、赤外線送信回路より対応する赤外線リモコン信号が送出される。
【００２７】
リモコンＩ／Ｆ６は、リモコン１から送出された赤外線リモコン信号を受信し、上記赤外線リモコン信号を電気信号に変換した後、制御部２に出力する。制御部２は、メニュー画面の調整項目全てを表す情報をＲＯＭより取得して、いずれかの位置に対応させたカーソルとともにＯＳＤ表示させるＯＳＤ信号をＯＳＤ回路に生成させ、映像信号処理回路４からの映像信号に上記生成したＯＳＤ信号を重畳し、ＯＳＤ信号を重畳した映像信号を映像信号処理回路４に対して供給する。すると、映像信号処理回路４にてＯＳＤ信号を重畳した映像信号に対応するＲＧＢ信号が生成される。
【００２８】
光学系（画像投射手段）５は、上記映像信号処理回路４にて生成された映像信号を基に制御部２の制御によってＲＧＢの光を生成し、上記生成した光を投射レンズ等を介してスクリーン等に出射する。図２は、本発明の光学系５の配置図である。同図より、光学系５は、ランプ５ａとカラーホイール５ｂとライトパイプ５ｃとイルミネーションレンズ５ｄとミラー５ｅとＤＭＤ５ｆと投射レンズ５ｇとから構成している。
【００２９】
同図より、ランプ５ａは光学系５を筐体に収容する際、上記筐体の前方側の側方に配置され、白色光を生成する。また、ランプ５ａから後方に出射した光を反射させる放物面形状のリフレクタ５ａ１とを備えており、ランプ５ａにて生成した光を、カラーホイール５ｂに向けて出射させるようになっている。ランプ５ａとしては、例えば、ハロゲンランプ、メタルハライドランプ、高圧水銀ランプ、キセノンランプ等を用いることが可能である。また、リフレクタ５ａ１としては、例えば、放物面鏡や、楕円面鏡等を用いることが可能である。
【００３０】
カラーホイール５ｂは、略円盤形状を有しており、上記筺体の幅方向と略並行に配置され、ＲＧＢの３色のカラ−フィルタが等間隔に配置されている。このカラーホイール５ｂが回転することにより、ランプ５ａから出射した白色光が、Ｒ、Ｇ、Ｂの光に順次分離される。
【００３１】
ライトパイプ５ｃは、断面視略矩形状の柱状体であり、上記筺体の幅方向に配向しつつ、カラーホイールを通過した光を略平行な光に変換して、後述するミラー５ｅへ案内する。
【００３２】
ミラー５ｅは、上記筺体の前方側であって上記ランプとは反対の側方に配置され、ライトパイプ５ｃから射出される平行光を後方側上方であって幅方向には反対側に反射させる。また、イルミネ−ションレンズ５ｄ１は、ライトパイプ５ｃからの光をミラー５ｅに集光させるためのものであり、イルミネ−ションレンズ５ｄ２は、ミラー５ｅにより反射した光をＤＭＤ５ｆに集光させるためのものである。
【００３３】
ＤＭＤ５ｆは、ミラー５ｅにて反射された平行光が照射される位置に配置され、ＲＧＢの各光を画像デ−タに応じて画素毎に変調する変調素子としてのマイクロミラーを複数備えている。マイクロミラーは、個別に駆動制御され、反射面の角度を所定角度（例えば、１２度）傾斜させることが可能となっている。ＤＭＤ５ｆはＲＧＢ信号に基づいて上記各マイクロミラーを時分割駆動させることで所定の映像を形成しつつ、上記筺体の前方側に向けてする反射させる。 
【００３４】
投射レンズ５ｇは、上記筺体の前方に向けた光軸を有し、ＤＭＤ５ｆによって変調された画像光をスクリ−ンに拡大投影するためのものであり、ＲＧＢの各色光の色収差等に起因する投影画像の不鮮明を防止する目的で、複数の集光素子を光軸方向に沿って配置した組レンズとして構成されている。
【００３５】
図中、２点鎖線の矢印は、光の進行方向を示している。ランプ５ａから出射した白色光は、カラーホイール５ｂによりＲＧＢの各色光に分離され、同分離された光はライトパイプ５ｃにより集められ、ミラー５ｅに案内される。ライトパイプ５ｃから出射した光は、ライトパイプ５ｃとミラー５ｅとの間に介在するイルミネ−ションレンズ５ｄ１により集光されてミラー５ｅに入射し、ミラー５ｅにより反射される。ミラー５ｅにより反射された光は、イルミネ−ションレンズ５ｄ２により集光されてＤＭＤ５ｆに入射する。そして、ＤＭＤ５ｆにより変調された画像光は、投射レンズ５ｇによりスクリ−ンに拡大投影される。
【００３６】
電源トランス７は、外部電源（例えば１００Ｖ商用電源）を一端直流電圧に生成した後、再度交流電圧に生成して各構成要素に供給する。通常電源トランスはトランジスタや巻き線等のアナログ素子が基板上に数多く実装されており、また、金属製の冷却フィン等が配置されているため比較的重量が重い構造である。
【００３７】
筐体９は、プロジェクタ１０を構成する各構成要素を収容する。通常、投射される映像の水平方向の調整を行う場合、筐体９の足の長さを調整するなどして調整を行う。本発明の一実施形態であるプロジェクタ１０の筐体９は、構造を工夫することにより水平方向の調整を自動で行うようにした。
【００３８】
（２）筐体の構成
図３は本発明の一実施形態であるプロジェクタ１０の筐体の上面図である。同図より、本発明の一実施形態であるプロジェクタ１０の筐体９は、光学系５と制御部２と電源トランス７と映像信号処理回路４とを収容する投射ユニット部１１と、投射ユニット部１１を収容しつつ、投射ユニット部１１を水平方向に回転可能に支持する支持ユニット部とから構成されている。
【００３９】
投射ユニット部１１は、光学系５と制御部２と電源トランス７と映像信号処理回路４とを収容している。投射ユニット部１１は光学系５を図２に図示した配置で収容する。
【００４０】
図３より、投射ユニット部１１は前面に投射レンズを端部周辺に配置するための第一の開口部１３ａが形成される前面パネル１３と、上記光学系５を収容する凹部有する第一のバックキャビネット１４にて形成された箱型形状である。また、投射ユニット部１１は後述するように支持ユニット部１２にて水平方向に回転可能に支持されるための回転軸１５を有する。回転軸１５は、投射ユニット部１１の略中心にて、投射レンズ５ｇの光軸と略水平に投射ユニット部１１の厚み方向に延設している。
【００４１】
本発明の一実施形態であるプロジェクタ１０は、回転軸１５を投射ユニット部１１に上記配置方法にて支持するのに、前面パネル１３と第一のバックキャビネット１４に回転軸１５を支持するための支持軸部１６、１７とを有する構造である。本発明の一実施形態である支持軸部１６、１７は前面パネル１３と第一のバックキャビネット１４に一体形成で形成され、回転軸１５が貫通する穴１６ａ、１７ａ、を有する構造である。回転軸１５の構造は、上記構造に限らず投射ユニット部１１を水平方向に回転するための軸の働きをすればよいので、例えば、回転軸が前面パネル１３と第一のバックキャビネット１４に一体で成形されたものであってもよい。
【００４２】
さらに、投射ユニット部１１は、下方に電源トランス７を配置する。電源トランス７は上述したように重量が重くそのため、投射ユニット部１１が後述するように支持ユニット部１２に水平方向に回転可能に支持されると、電源トランス７を配置した投射ユニット部の下部が電源トランス７の重さで常に下方を向く構造になっている。
【００４３】
支持ユニット部１２は投射ユニット部１１より大きな箱型形状であり、前面に投射ユニット部１１の前面パネル１３を露出する第二の開口部１８ａを前面部に有する方形のフロントキャビネット１８と、上記フロントキャビネットの後方に固定され、投射ユニット部１１を収容するための凹部を有する第二のバックキャビネット１９から構成されている。また、支持ユニット部１２は、投射ユニット部１１の回転軸を回転可能に支持する軸受けとしての支持部対２０、２１をフロントキャビネット１８と第二のバックキャビネット１９に有する構造である。
【００４４】
本発明の位置実施形態である支持部対２０、２１は、回転軸１５を支持するのにフロントキャビネット１８と第二のバックキャビネット１９の内壁に金属性の軸受け２０ａ、２１ａを有し、回転軸１５の両端を軸受け２０ａ、２１ａの穴に貫通させることで支持する構造である。また、軸受け２０ａ、２１ａは、フロントキャビネット１８と第二のバックキャビネット１９に一体形成された軸受け固定部２０ｂ、２１ｂにより固定されている。これにより、投射ユニット部１１は回転軸１５を中心として回転し、つねに、投射ユニット部１１の電源トランス７を配置した下方が常に、鉛直下向きに位置する。上記した回転軸１５を支持する構造は、回転軸１５を回転可能に支持するものであればよく、上記構造に限定されるものではない。
【００４５】
（３）実施例
図４は本発明のプロジェクタ１０を略水平な底面から１０度だけ傾いた台の上に配置した図である。同図より、投射ユニット部１１の破線は支持ユニット部１２のフロントキャビネット１８に隠れた部分である。支持ユニット部１２内にて、投射ユニット部１１は接地面に対して略１７０度（ー１０度）だけ回転軸１５を中心として傾く。これにより投射ユニット部１１に配置された投射レンズ５ｇは常に略水平を保つため、ユーザは上下方向と左右方向の調整のみを行えばよく、よって調整を簡略化させる。
【００４６】
（４）変形例
図５は、投射ユニット部１１が光軸を中心とする円筒形の形状をしたプロジェクタ１０の図である。同図より、投射ユニット部１１が、投射レンズ５ｇの光軸を中心とする円筒形であって、支持ユニット部１２によって上記光軸を中心として回転可能に支持される構造である。具体的には、円筒形の投射ユニット部１１を回転軸として支持部対２０、２１によって回転可能に支持する。支持部対２０、２１の構造は図３を用いて明記した構造であればよく、投射ユニット部１１が光軸を中心として回転可能に支持されるものであればよい。
【００４７】
（５）まとめ
光源からの光を利用して画像を形成して、上記形成した画像をレンズを介してスクリーンに投射する画像投射手段と、上記画像投射手段を収容する筐体とを有し、水平方向の傾きを調整可能なプロジェクタにおいて、上記筐体は、上記画像投射手段を水平方向に回転可能に支持し、上記画像投射手段は、水平方向の傾きを一定に保つために、上記筐体にて水平方向に回転可能に支持される同画像投射手段を、重みによって下部が常に下方に位置するよう重量物を下方に配置する。
【００４８】
また、請求項３に記載の発明は、請求項２に記載のプロジェクタであって、上記画像投射手段は、同筺体の前方側の側方に配置され、所定の反射鏡にて集光しつつ幅方向に向けて光を射出するランプと、所定の角度範囲ごとに異なる分光用フィルタを構成する円盤状のカラーホイールを、上記筺体の幅方向と略並行であって上記ランプにて集光された光が上記分光用フィルタを透過するように配置し、同カラーホイールを所定のタイミングに沿って連続的に回転させるカラーホイール機構と、上記筺体の幅方向に配向しつつ、同カラーホイール機構を通過した光を略平行な光に変換するライトパイプと、上記筺体の前方側であって上記ランプとは反対の側方に配置され、上記ライトパイプから射出される平行光を後方側上方であって幅方向には反対側に反射させるミラーと、同ミラーにて反射された平行光が照射される位置であって、複数のマイクロミラーを所定の配列となるように配置し、ＲＧＢ信号に基づいて上記各マイクロミラーを時分割駆動させることで所定の映像を形成しつつ、上記筺体の前方側に向けてする反射させるＤＭＤと、 上記筺体の前方に向けた光軸を有し、上記ＤＭＤの反射光が入射されて前方に映像を投射する投射レンズとを有する構成である。
【００４９】
つまり、請求項２に記載のプロジェクタであって、上記画像投射手段は、ランプと、カラーホイールと、ＤＭＤと、投射レンズとを所定の上記方法で配置するので、筐体内で３次元に反射した光の投射を行う構造でも、簡易な構造で、水平方向の自動調整を行うことができる。
【００５０】
また、請求項４に記載の発明は、請求項２または請求項３のいずれかに記載のプロジェクタであって、上記筐体は、上記画像投射手段を収容する投射ユニット部と、上記投射ユニット部を収容するとともに、上記投射ユニット部を水平方向に回転可能に支持する支持ユニット部とを有する構成である。
【００５１】
つまり、請求項２または請求項３のいずれかに記載のプロジェクタであって、上記筐体は、上記画像投射手段を収容する投射ユニット部が、支持ユニット部によって収容されるとともに、上記投射ユニット部を水平方向に回転可能に支持するので、光学系を従来の配置で収容することができる。
【００５２】
また、請求項５に記載の発明は、請求項４に記載のプロジェクタであって、上記投射ユニット部は、上記投射レンズの光軸を中心とする円筒形であって、上記支持ユニット部によって上記光軸を中心として回転支持される。
【００５３】
つまり、請求項４に記載のプロジェクタであって、上記投射レンズの光軸を中心とする円筒形の投射ユニットが、上記支持ユニット部によって上記光軸を中心として回転支持されるので、光軸を中心として回転するので筐体の構造を簡易にすることができる。
【００５４】
また、請求項６に記載の発明は、請求項４に記載のプロジェクタであって、上記投射ユニット部は、上方に上記投射レンズの光軸と略水平になるよう厚み方向に延設する回転軸を有する箱型形状であって、上記支持ユニット部は、上記投射ユニット部が上記回転軸を中心として水平方向に回転可能に支持される支持部対を前面と背面の内壁上方に有する箱型形状の構成である。
【００５５】
つまり、請求項４に記載のプロジェクタであって、上記投射ユニット部は、箱型形状で上方に上記投射レンズの光軸と略水平になるよう厚み方向に延設する回転軸を有し、箱型形状の支持ユニット部の前面と背面に有する支持部対によって上記回転軸を中心として水平方向に回転可能に支持される構造であって、筐体を二重で構成するので機能にとらわれず外観のデザインを色々と変更することができる。
【００５６】
なお、本発明は上記実施例に限られるものでないことは言うまでもない。当業者であれば言うまでもないことであるが、 
・上記実施例の中で開示した相互に置換可能な部材および構成等を適宜その組み合わせを変更して適用すること 
・上記実施例の中で開示されていないが、公知技術であって上記実施例の中で開示した部材および構成等と相互に置換可能な部材および構成等を適宜置換し、またその組み合わせを変更して適用すること 
・上記実施例の中で開示されていないが、公知技術等に基づいて当業者が上記実施例の中で開示した部材および構成等の代用として想定し得る部材および構成等と適宜置換し、またその組み合わせを変更して適用すること 
は本発明の一実施例として開示されるものである。 
【図面の簡単な説明】
【００５７】
【図１】プロジェクタのブロック構成図である。
【図２】本発明の光学系の配置図である。
【図３】プロジェクタの上面図である。
【図４】プロジェクタを略水平な底面から略１０度傾いた台の上に配置した図である。
【図５】投射ユニット部が光軸を中心とする円筒形の形状をしたプロジェクタの図である。
【符号の説明】
【００５８】
１０…プロジェクタ
１１…投射ユニット部
１２…支持ユニット部
１３…前面パネル
１３ａ…第一の開口部
１４…第一のバックキャビネット
１５…回転軸
１６…支持軸部
１７…支持軸部
１８…フロントキャビネット
１８ａ…第二の開口部
１９…第二のバックキャビネット
２０…支持部
２０ａ…軸受け
２０ｂ…軸受け固定部
２１…支持部
２１ａ…軸受け
２１ｂ…軸受け固定部
【図１】
2007248709.tif 000003
【図２】
2007248709.tif 000004
【図３】
2007248709.tif 000005
【図４】
2007248709.tif 000006
【図５】
2007248709.tif 000007